(57)【要約】【課題】簡単な構成で、扉体を全閉の状態から僅かに上昇させたときまたは扉体を全閉の状態とする直前のときであっても放流管の下流側開口から流出する水流の圧力によって水密部材が損傷することなく、且つ、扉体を全閉の状態としたときに確実に水を流出させることがないように水密性を保つことができるダムの放流ゲートを提供する。【解決手段】本発明のダムの放流ゲートは、昇降移動することにより放流管１の下流側開口１ａを開閉する扉体２と、下流側開口１ａと扉体２との間の水密性を保持する水密部材３とを備えており、扉体２を全閉したときにその下端のリップ部２０が衝合されるよう放流管１の底部１０を下流側に向かって延長させた延長底部１５を有している。【選択図】図１
2014114550.tif 000002
【特許請求の範囲】
【請求項１】
昇降移動することにより放流管の下流側開口を開閉する扉体を備えたダムの放流ゲートであって、
前記扉体を全閉したときにその下端のリップ部が衝合されるよう放流管の底部を下流側に向かって延長させた延長底部を備えたことを特徴とするダムの放流ゲート。
【請求項２】
前記扉体のリップ部と前記延長底部の衝合部分とのいずれかに下部水密部材を設けたことを特徴とする請求項１に記載のダムの放流ゲート。
【請求項３】
さらに、前記放流管の下流側開口の側部と扉体との間に配設され、前記放流管の底部に対して下端面が当接される側部水密部材を備えており、
該側部水密部材は、その下端部の前記扉体と接する側が前記下端面に向かって下流側へ漸次拡大するよう前記扉体の開閉移動方向に対して傾斜する傾斜部を有しており、
前記リップ部は、前記扉体を全閉するときに前記傾斜部と係合して前記下端面を前記放流管の底部に対して押し付ける押し付け部を有していることを特徴とする請求項１または２のいずれか１項に記載のダムの放流ゲート。
【請求項４】
前記下部水密部材は、前記扉体を全閉したときに前記側部水密部材と当接されて下部水密部材と側部水密部材との間の水密性を保持する当接部を有することを特徴とする請求項３に記載のダムの放流ゲート。
【請求項５】
前記下部水密部材が前記リップ部に設けられており、該下部水密部材が衝合される被衝合部材を前記延長底部の衝合部分に着脱可能に設けたことを特徴とする請求項２〜４のいずれか１項に記載のダムの放流ゲート。
【請求項６】
前記下部水密部材を前記延長底部の衝合部分に着脱可能に設けたことを特徴とする請求項２〜３のいずれか１項に記載のダムの放流ゲート。
【発明の詳細な説明】
【技術分野】
【０００１】
本発明は、ダムの放流ゲートに関し、特に、ダムに設置された放流管の下流側開口を、昇降移動することにより開閉する扉体を備えたダムの放流ゲートに関するものである。
【背景技術】
【０００２】
例えば、スライドゲートや、ローラゲート、ラジアルゲート、引張ラジアルゲートなど、ダムに設置される全管路形の放流水路（放流管）の下流端部開口を扉体により開閉するダムの放流ゲートにおいては、一般に放流管の下流側開口に沿って扉体を昇降移動させるよう構成されている。そして、扉体が放流水路の下流側開口を完全に閉鎖したとき（全閉にしたとき）の水密性を保ち水の漏出を防ぐために、例えば特許文献１や特許文献２に開示されているように、扉体と放流管の下流側開口の扉体と対応する周囲端面（戸当り）との間に水密部材が設けられている。このため、扉体は一般に、放流管の下流側開口の戸当りに設けられた水密部材を含めて覆い得る大きさに成形されている。
【０００３】
すなわち、従来の技術では、一般に、放流管の下流側開口の戸当りにおける下部にも水密ゴムが設けられており、扉体の下降限が下部の水密ゴムと接するように放流管の下流側開口を超えて設定されていた。
【先行技術文献】
【特許文献】
【０００４】
【特許文献１】実開昭５９−１９６２９号公報
【特許文献２】実開昭６２−３８９３３号公報
【発明の概要】
【発明が解決しようとする課題】
【０００５】
しかしながら、上述したように放流管の下流側開口の戸当りにおける下部にも水密ゴムが設けられた一般的な従来の技術にあっては、特許文献２の明細書第２頁第４行〜同頁第１０行にも記載されているように、例えば扉体を全閉の状態から僅かに上昇させたときまたは扉体を全閉の状態とする直前のときなど、扉体の下端縁が下流側開口の下部に位置する水密ゴムよりも僅かに上方に位置する場合には、放流管の下流側開口から放流される水が戸当りと扉体との間で絞られた状態で下向きのジェット水流となって水密ゴムに衝突し、その結果、水密ゴムが破損したり振動するなどの問題があった。
【０００６】
本発明は、上述した問題に鑑みてなされたもので、簡単な構成で、扉体を全閉の状態から僅かに上昇させたときまたは扉体を全閉の状態とする直前のときであっても放流管の下流側開口から流出する水流の圧力によって水密部材が損傷することなく、且つ、扉体を全閉の状態としたときに確実に水を流出させることがないように水密性を保つことができるダムの放流ゲートを提供することを目的とする。
【課題を解決するための手段】
【０００７】
請求項１のダムの放流ゲートに係る発明は、上記目的を達成するため、昇降移動することにより放流管の下流側開口を開閉する扉体を備えたダムの放流ゲートであって、前記扉体を全閉したときにその下端のリップ部が衝合されるよう放流管の底部を下流側に向かって延長させた延長底部を備えたことを特徴とする。
請求項２のダムの放流ゲートに係る発明は、上記目的を達成するため、請求項１に記載の考案において、前記扉体のリップ部と前記延長底部の衝合部分とのいずれかに下部水密部材を設けたことを特徴とする。
請求項３のダムの放流ゲートに係る発明は、上記目的を達成するため、請求項１または２のいずれか１項に記載の考案において、さらに、前記放流管の下流側開口の側部と扉体との間に配設され、前記放流管の底部に対して下端面が当接される側部水密部材を備えており、該側部水密部材は、その下端部の前記扉体と接する側が前記下端面に向かって下流側へ漸次拡大するよう前記扉体の開閉移動方向に対して傾斜する傾斜部を有しており、前記リップ部は、前記扉体を全閉するときに前記傾斜部と係合して前記下端面を前記放流管の底部に対して押し付ける押し付け部を有していることを特徴とする。
請求項４のダムの放流ゲートに係る発明は、上記目的を達成するため、請求項３に記載の考案において、前記下部水密部材は、前記扉体を全閉したときに前記側部水密部材と当接されて下部水密部材と側部水密部材との間の水密性を保持する当接部を有することを特徴とする。
請求項５のダムの放流ゲートに係る発明は、上記目的を達成するため、請求項２〜４のいずれか１項に記載の考案において、前記下部水密部材が前記リップ部に設けられており、該下部水密部材が衝合される被衝合部材を前記延長底部の衝合部分に着脱可能に設けたことを特徴とする。
請求項６のダムの放流ゲートに係る発明は、上記目的を達成するため、請求項２〜３のいずれか１項に記載の考案において、前記下部水密部材を前記延長底部の衝合部分に着脱可能に設けたことを特徴とする。
【発明の効果】
【０００８】
請求項１の発明によれば、扉体を全閉の状態から僅かに上昇させたときまたは扉体を全閉の状態とする直前のとき（微小開度のとき）に、流出する水は、放流管から延長底部と扉体のリップ部との間を通って放流管の下流側に向かって延長された延長底部に沿って流れるため、従来の技術のように放流管の下流側開口の底部の周囲に設けられた水密部材に放流管の下流側開口から流出する水流が衝突することがなく、かかる水流の圧力によって水密部材が損傷するのを防止することができる。そして、扉体を全閉の状態とするとき、扉体のリップ部が放流管の底部を下流側に向かって延長させた延長底部に衝合するため、確実に水を流出させることがないように水密性を保つことができる。
請求項２の発明によれば、請求項１に記載の発明において、前記扉体のリップ部と前記延長底部の衝合部分とのいずれかに下部水密部材を設けたことにより、微小開度のときに放流管の下流側開口から流出する水流が衝突することがなく、かかる水流の圧力によって下部水密部材が損傷するのを防止することができ、また、扉体のリップ部と延長底部との衝合により確実に水密性を保つことができる。
請求項３の発明によれば、請求項１または２のいずれか１項に記載の考案において、さらに、前記放流管の下流側開口の側部と扉体との間に配設され、前記放流管の底部に対して下端面が当接される側部水密部材を備えており、該側部水密部材は、その下端部の前記扉体と接する側が前記下端面に向かって下流側へ漸次拡大するよう前記扉体の開閉移動方向に対して傾斜する傾斜部を有しており、前記リップ部は、前記扉体を全閉するときに前記傾斜部と係合して前記下端面を前記放流管の底部に対して押し付ける押し付け部を有していることにより、全閉のときに扉体のリップ部の押し付け部が前記放流管の下流側開口の側部と扉体との間に配設された側部水密部材の傾斜部と係合してその下端面が放流管の底部に対して押し付けられるため、側部水密部材の下端面と放流管の底部との間から水が漏出するのを確実に防止することができる。
請求項４の発明によれば、請求項３に記載の発明において、前記下部水密部材は、前記扉体を全閉したときに前記側部水密部材と当接されて下部水密部材と側部水密部材との間の水密性を保持する当接部を有することにより、前記扉体を全閉したときに下部水密部材の当接部が側部水密部材に当接して、下部水密部材と側部水密部材との間から水が漏出するのを確実に防止することができる。
請求項５の発明によれば、請求項２〜４のいずれか１項に記載の発明において、前記下部水密部材が前記リップ部に設けられており、該下部水密部材が衝合される被衝合部材を前記延長底部の衝合部分に着脱可能に設けたことにより、放流される水に土砂が混入するなどしてリップ部が衝合される延長底部の衝合部分が摩耗したり損傷した場合であっても、かかる延長底部の衝合部分に設けた被衝合部材を交換することにより容易に修復し、水密性を保ち、水の漏出を確実に防止することができる。
請求項６の発明によれば、請求項２〜３のいずれか１項に記載の発明において、前記下部水密部材を前記延長底部の衝合部分に着脱可能に設けたことにより、放流される水に土砂が混入するなどして下部水密部材が摩耗したり損傷した場合であっても、かかる下部水密部材を交換することにより容易に修復し、水密性を保ち、水の漏出を確実に防止することができる。
【図面の簡単な説明】
【０００９】
【図１】本発明のダムの放流ゲートの実施の一形態を説明するために、扉体が全閉状態（ａ）と、全閉の状態から僅かに上昇させたときまたは扉体を全閉とする直前の状態（ｂ）を説明するために示した要部断面図である。
【図２】扉体を全閉した状態を説明するために示した部分拡大縦断側面図である。
【図３】扉体を全閉して下部水密部材の当接部が側部水密部材に当接した状態を説明するために示した部分拡大横断平面図である。
【図４】扉体を全閉とする前の状態（ａ）と、扉体が全閉となり側部水密部材の傾斜部に扉体のリップ部の押し付け部が係合して、側部水密部材の下端面が放流管の底部に対して押し付けられている状態（ｂ）を説明するために示した部分拡大縦断側面図である。
【図５】下部水密部材をリップ部に設けて、被衝合部材を延長底部の衝合部分に着脱可能に設けた実施の形態を説明するために示した部分拡大縦断側面図である。
【図６】下部水密部材を延長底部の衝合部分に着脱可能に設けた実施の形態を説明するために示した部分拡大縦断側面図である。
【発明を実施するための形態】
【００１０】
本発明の水門の実施の一形態を、主に図１〜図４に基づいて説明する。なお、以下の説明において、上流側は図の左方となり、下流側は図の右方となる。
本発明のダムの放流ゲートは、概略、昇降移動することにより放流管１の下流側開口１ａを開閉する扉体２と、下流側開口１ａと扉体２との間の水密性を保持する水密部材３とを備えており、扉体２を全閉したときにその下端のリップ部２０が衝合されるよう放流管１の底部１０を下流側に向かって延長させた延長底部１５を有している。
なお、この実施の形態では、水密部材３が、扉体２のリップ部２０と延長底部１５の衝合部分との間に配設された下部水密部材３０と、放流管１の下流側開口１ａの側部に配設された側部水密部材３１と、放流管１の下流側開口１ａの上部に配設された上部水密部材３２とにより構成されている。
【００１１】
この実施の形態における放流管１は、底部１０と両側部１１と天井部１２とを有する断面矩形に成形されており、したがって、放流管１の下流側端部１ａの形状も矩形となっている。放流管１の表面は、例えば、ダムを形成するコンクリート１４などによって直接構成することができ、また、必要に応じて図１〜図４に示したように金属など、コンクリート１４とは異なる素材からなる管胴板１３で被覆することもできる。さらに、管胴板１３の周囲には、管胴板１３の補強のためにリングガーダ１３ａを設けることもできる。
【００１２】
図１、図２、および図４に示すように、放流管１は、その底部１０が管胴板１３も含めて下流側（図の右方）に延長されて、延長底部１５が形成されている。なお、延長底部１５は、必ずしも放流管１の底部１０を一体に延長させたものである必要はなく、放流管１の底部１０とは別体で構成し、延長底部１５を放流管１の底部１０と連続させるように放流管１の下流側開口１ａに設けることもできる。
【００１３】
扉体２は、スキンプレート２１の背面に横桁２２と縦桁２３が設けられることにより構成されている。扉体２の下端にはリップ部２０が設けられている。この実施の形態における扉体２としては、巻き上げ装置（図示は省略する）などによって昇降移動するスライドゲートの場合により説明する。図２〜図４に示すように、リップ部２０の下流側の面に下部水密部材３０が配設されている。下部水密部材３０は、ほぼ帯状に成形されたもので、下流側の面における上部には係合突条３０ａが形成されている。下部水密部材３０の下流側には板状の押え部材４０が配置される。下部水密部材３０と押え部材４０には、ボルトなどの締結手段４１の軸部が挿通されており、リップ部２０に対して締結されることにより、押え部材４０とリップ部２０との間に下部水密部材３０が保持されている。
【００１４】
下部水密部材３０は、例えばゴムなど、弾性を有する素材により構成することができ、図４の（ａ）に示すように、延長底部１５から離れた状態（扉体２が開いた状態）で、押え部材４０およびリップ部２０の下端から僅かに突出し、且つ、図４の（ａ）に示すように扉体２を全閉から僅かに上昇させたときに延長底部１５とリップ部２０の上流側下端角部２０ａとの間から流れる水流Ｓが直接当らない幅（図２および図４における上下方向の高さ）を有する断面矩形の平板状または帯状に成形されている。そして、下部水密部材３０の両端部３０ｂは、図３に示すようにリップ部２０の上流側面から露出して、後述するように側部水密部材３１の突部３１ａの下端近傍に接するように屈曲されている。
【００１５】
図３に示すように、放流管１の下流側端開口１ａの周囲における側部と上部とには、側部水密部材３１と上部水密部材３２とをそれぞれ取り付けるためのフレーム５０が設けられている。側部水密部材３１と上部水密部材３２は、フレーム５０に保持されるベース部３１ｂ、３２ｂと、断面においてベース部３１ｂ、３２ｂから扉体２と対向する側に突出するよう一体形成された突部３１ａ、３２ａとを備えている。ベース部３１ｂ、３２ｂの下流側端開口１ａから見て突部３１ａ、３２ａよりも外側は、板状の押え部材５１が当てられている。押え部材５１とベース部３１ｂ、３２ｂにはボルトなどの締結部材５２の軸部が挿通されており、この締結部材５２の軸部の先端がフレーム５０に対して締結されることにより、側部水密部材３１と上部水密部材３２がフレーム５０に保持されている。なお、側部水密部材３１と上部水密部材３２は、連続して一体に構成することができるが、個別に分けて構成することもできる。
【００１６】
ここで、側部水密部材３１の下端面３１ｃは、放流管１の底部１０に対して当接される。そのため、この実施の形態においては、図２および図４に示すように、側部水密部材３１の下端部は、扉体２と接する側が下端面３１ｃに向かって下流側へ漸次拡大するよう扉体２の開閉移動方向（昇降移動方向）に対して傾斜する傾斜部３１ｄが形成されている。一方、扉体２のリップ部２０の、側部水密部材３１と対応する側の下端部は、扉体２を全閉するときに傾斜部３１ｄと係合してその下端面３１ｃを放流管１の底部１０に対して押し付ける押し付け部２０ｄが、側部水密部材の傾斜部と対応して傾斜するように形成されている。
【００１７】
さらに、上述したように（図３）、リップ部２０に設けられる下部水密部材３０の両端部３０ｂは、屈曲されてリップ部２０の表面からわずかに突出しており、全閉としたときに側部水密部材３１の傾斜部３１ｄの突部３１ａと接合される。
【００１８】
次に、上述したように構成されたダムの放流ゲートの作動について説明する。最初に、放流ゲートを全閉とした状態（図１の（ａ）、図２、図４の（ｂ）を参照）では、扉体２が下降されており、リップ部２０に設けられた下部水密部材３０が放流管１の延長底部１５に当接されている。このとき、リップ部２０の押し付け部２０ｄが側部水密部材３１の下端の傾斜部３１ｄと係合して、側部水密部材３１の下端面３１ｃを放流管１の底部１０に対して押し付けており、また、下部水密部材３０の両端面３０ｂが側部水密部材３１の傾斜部３１ｄの突部３１ａと接合されている。したがって、扉体２のリップ部２０と延長底部１５との間は下部水密部材３０により、扉体２の側部と放流管１の下流側開口１ａの両側部との間は側部水密部材３１により、扉体２の上部と放流管１の下流側開口１ａの上部との間は上部水密部材３２により、そして、側部水密部材３１の下端面３１ｃと放流管１の底部１０との間は側部水密部材３１の傾斜面３１ｄがリップ部２０の押し付け部２０ｄによって押し付けられていることにより、さらに、リップ部２０と側部水密部材３１との間は下部水密部材３０の屈曲された両端部３０ｂと側部水密部材３１の突部３１ａとが接合していることにより、水密性を保持されている。そのため、放流管１内の水が不用意に漏出することが確実に防止される。
【００１９】
一方、全閉の状態から扉体２を僅かに上昇させた状態（図１の（ｂ）、図４の（ａ）を参照）では、リップ部２０に設けられた下部水密部材３０が放流管１の延長底部１５から離間し、放水管１内の水が放流されることとなる。このとき、水流Ｓは、図４の（ａ）に示したように、延長底部１５とリップ部２０の上流側下端角部２０ａとの間から流れる。そして、水流Ｓの下方は、延長底部１５の上面と平行に流れ、水流の上方は、リップ部２０の上流側下端角部２０ａを通過した直後に、かかる上流側下端角部２０ａによって規制されて縮流効果により一旦下方に流れてから放流水脈の拡散作用により斜め上方に流れるようカーブを描くこととなる。そして、下部水密部材３０が弾性を有する素材により構成されており、帯状に成形されており、その下端がリップ部から僅かに突出しているだけにすぎず、リップ部２０の下流側の面に取り付けられているため、従来の技術のように放流管の下流側開口の底部の周囲に設けられた水密部材に放流管の下流側開口から流出する水流が衝突することがないことから、水流Ｓが下部水密部材３０の下端に当ることがなく下流に放流される。したがって、従来の技術のように、ジェット状に放流される水の圧力によって下部水密部材３０が破損したり振動を発生させることがない。また、下部水密部材３０が弾性を失った場合など寿命を迎えた場合には、締結手段４１による締結を解除し、押え部材４０と共に寿命を迎えた下部水密部材３０を取り外して、新たな下部水密部材３０を板状の押え部材４０と重ねて配置して締結手段４１を締結することにより、下部水密部材３０を容易に交換することができる。
【００２０】
次に、本発明の別の実施の形態を、図５に基づいて説明する。なお、この実施の形態においては、上述した実施の形態と同様または相当する部分については同じ符号を付してその説明を省略し、異なる部分についてのみ説明することとする。
【００２１】
この実施の形態におるダムの放流ゲートは、放流管１の延長底部１５の、扉体２のリップ部２０に設けられた下部水密部材が衝合される部分に、被衝合部材６が着脱可能に設けられている。
【００２２】
被衝合部材６は、ほぼ板状に成形されたもので、下部水密部材３０が設けられたリップ部２の幅（両側部の間の長さ）および厚み（上流側の面と下流側の面の間隔）よりも大きい表面を有しており、所定の厚みで成形されている。被衝合部材６は、例えば硬質の石材や金属或いは弾性部材など、放流管１の延長底部１５を構成する素材と同じまたは異なる素材により構成することができる。放流管１の延長底部１５の下部水密部材３０が衝合される部分には、被衝合部材６の表面が延長底部１５の表面と同一面を形成するように、被衝合部材６を収容する凹部１５ａが形成されている。凹部１５ａに収容された被衝合部材６は、延長底部１５の下面から挿通されたボルトなどの締結部材６１により締結されている。
【００２３】
次に、図５に基づいて説明した実施の形態におけるダムの放流ゲートの作動について説明する。
ダムの放流ゲートにより放流される水には、土砂や塵芥が混入している場合がある。そして、放流管１の延長底部１５は、全閉時にリップ部２０が衝合され扉体２の重量を受ける。そのため、土砂などが混入した水を放流したり、延長底部１５のリップ部２０と衝合されて扉体２の重量を受けることにより、かかる部分が摩耗したり変形することが考えられる。そこで、被衝合部材６が摩耗したり変形した場合には、締結部材６１を取り外して延長底部１５の凹部１５ａに収容された被衝合部材６を取り出し、適切な素材からなる新たらしい被衝合部材６を凹部１５ａに収容して締結部材６１を締結して交換することができる。
【００２４】
次に、本発明のさらに別の実施の形態を、図６に基づいて説明する。なお、この実施の形態においては、上述した実施の形態と同様または相当する部分については同じ符号を付してその説明を省略し、異なる部分についてのみ説明することとする。
【００２５】
上述した実施の形態においては下部水密部材３０が扉体２のリップ部２０に設けられるものであったのに対し、この実施の形態においては下部水密部材３５が放流管１の延長底部１５に着脱可能に設けられている。
【００２６】
この実施の形態における扉体２のリップ部２０’は、上述した実施の形態のように下部水密部材３０を設ける必要はなく、従来の放流管１の下流側開口１ａの周囲に水密部材３が設けられた放流ゲートの場合と同様のものを採用することができる。また、この実施の形態における下部水密部材３５は、底面の幅（図６の左右方向）が上面の幅よりも大きくなるよう断面が台形形状の板状に成形されている。下部水密部材３５は、上述した実施の形態と同様に、例えばゴムなど、弾性を有する素材により構成することができる。放流管１の延長底部１５の、リップ部２０’が衝合される部分には、下部水密部材３５を収容するための凹部１５ｂが形成されている。凹部１５ｂの上流側側壁は、下部水密部材３５の上流側の側面と対応して傾斜するよう成形されている。また、凹部１５ｂ内には、下部水密部材の下流側側面との間にスペーサ３６が収容される。スペーサ３６は、その上流側側壁が下部水密部材３５の下流側側壁と対応して傾斜する断面テーパ状に成形されており、また、その下流側側壁が凹部１５ｂの下流側側壁と対応してほぼ垂直に成形されている。下部水密部材３５とスペーサ３６を凹部１５ｂ内に収容して、スペーサ３６にボルトなどの締結部材３７の軸部を挿通し、締結部材３７を延長底部１５に締結することにより、下部水密部材３５を凹部１５ｂ内に固定することができる。凹部１５ｂの深さは、その内部に下部水密部材３５とスペーサ３６を固定した状態で、延長底部１５の表面と下部水密部材３５およびスペーサ３７の上面とが同一平面を形成するように設定されている。
【００２７】
次に、図６に基づいて説明した実施の形態におけるダムの放流ゲートの作動について説明する。最初に、放流ゲート１を全閉とした状態では、扉体２が下降されており、リップ部２０’が延長底部１５に設けられた下部水密部材３５に当接されていることにより、扉体２のリップ部２０’と延長底部１５との間の水密性が保持されている。そのため、放流管１内の水が不用意に漏出することが確実に防止される。また、延長底部１５に下部水密部材３５を設けるので、下部水密部材３５を備えていない従来のリップ部２０’を有する扉体２を採用することもできる。また、下部水密部材３５とスペーサ３６の上面が延長底部１５の上面と同一表面を形成することにより、扉体２を上昇させるなどして放流管１内の水を放流する場合に、従来の技術のように放流管の下流側開口の底部の周囲に設けられた水密部材に放流管の下流側開口から流出する水流が衝突することがないことから、発生するジェット水流によって下部水密部材３５が損傷したり振動を発生させたりするのを防止することができる。
【００２８】
そして、リップ部２０’が衝合されたり放流する水に土砂が含まれることに起因して下部水密部材３５が摩耗したり変形した場合には、締結部材３７を延長底部１５から取り外してスペーサ３６を凹部１５ｂから取り出すことにより、下部水密部材３５を凹部１５ｂから取り出し、また、新たな下部水密部材３５を凹部１５ｂに収容してからスペーサ３６を再度凹部１５ｂに収容し、締結部材３７をスペーサ３６に挿入して延長底部１５に締結することにより、下部水密部材３５を交換することができる。
【産業上の利用可能性】
【００２９】
本発明は、扉体がスライドゲートである場合に限定されることはなく、ローラゲートや、ラジアルゲート、引張ラジアルゲートなど、他の形式の放流ゲートにも適用することができる。扉体がローラゲートである場合には、扉体の側部にローラが設けられ、このローラを受けるためのガイドが放流管の下流側開口の側部に設けられる。また扉体がラジアルゲートや引張ラジアルゲートである場合には、これらラジアルゲートや引張ラジアルゲートを構成する扉体の曲率に応じて放流管の下流側開口が円弧状に成形される。
【００３０】
また、本発明は、放水管が断面矩形である場合に限定されることはなく、例えば断面楕円など、他の断面形状の放流管の下流側開口を開閉するための放流ゲートにも適用することができる。
【符号の説明】
【００３１】
１：放流管、  １ａ：下流側開口、  ２：扉体、  ６：被衝合部材、  １０：底部、  １５：延長底部、  ２０：リップ部、  ２０ｄ：押し付け部、  ３０：下部水密部材、  ３１：側部水密部材、  ３１ｃ：下端面、  ３１ｄ：傾斜部、  ３５：下部水密部材
【図１】
2014114550.tif 000003
【図２】
2014114550.tif 000004
【図３】
2014114550.tif 000005
【図４】
2014114550.tif 000006
【図５】
2014114550.tif 000007
【図６】
2014114550.tif 000008